(57)【要約】【課題】頭に作用する圧力を分散させながら首を安定的に支持することができる枕を提供する。【解決手段】枕１０は、使用者Ｕの頭Ｈを支持する頭支持部１２と、使用者Ｕの首Ｎを支持する首支持部１４とを備えている。頭支持部１２は、第１袋体１８と、第１袋体１８に充填された第１充填材２０とを有しており、首支持部１４は、第２袋体４８と、第２袋体４８に充填された第２充填材５０とを有している。首支持部１４の硬さは、頭支持部１２の硬さよりも硬くされており、頭支持部１２が使用者Ｕの頭Ｈを支持した状態では、頭支持部１２の高さが首支持部１４の高さよりも低くなり、首支持部１４が使用者Ｕの首Ｎを安定的に支持する。【選択図】図３
0003206814.tif 000002
【実用新案登録請求の範囲】
【請求項１】
使用者の頭を支持する頭支持部と、使用者の首を支持する首支持部とを備える枕において、
前記頭支持部は、第１袋体と、前記第１袋体に充填された第１充填材とを有しており、
前記首支持部は、第２袋体と、前記第２袋体に充填された第２充填材とを有しており、
前記首支持部の硬さは、前記頭支持部の硬さよりも硬くされており、
前記頭支持部が使用者の頭を支持した状態では、前記頭支持部の高さが前記首支持部の高さよりも低くなることを特徴とする、枕。
【請求項２】
前記第１袋体は、互いに連通された複数の空間を有しており、
前記複数の空間の相互間で前記第１充填材を移動させることによって、前記複数の空間のそれぞれに対応する前記頭支持部の各部分の高さが調整される、請求項１に記載の枕。
【請求項３】
前記第２袋体は、前記首支持部の外表面を構成する第１層と、前記第１層の内側に設けられた第２層とを有しており、
前記第１層は、通気性および吸湿性を有する布で構成されており、
前記第２層は、棉で構成されている、請求項１または２に記載の枕。
【請求項４】
前記第２袋体は、前記第２層の内側に設けられた第３層を有しており、
前記第１層と前記第３層とが前記第２層を厚さ方向に貫通する糸を介して接合されている、請求項３に記載の枕。
【請求項５】
前記第２層は、棉を板状に圧縮することによって形成された棉板で構成されている、請求項３または４に記載の枕。
【請求項６】
前記第１層を構成する前記布には、複数の通気孔が設けられている、請求項３ないし５のいずれか１項に記載の枕。
【請求項７】
平面視において、使用者の体軸方向を縦方向とし、縦方向に対して直交する方向を横方向としたとき、
前記頭支持部と前記首支持部とは、縦方向に並んで配置されており、
前記首支持部は、その横方向両端部の縦方向長さがその横方向中央部の縦方向長さよりも長くなるように構成されている、請求項１ないし６のいずれか１項に記載の枕。
【請求項８】
平面視において、前記首支持部の前記頭支持部側の側縁を第１側縁とし、前記首支持部の前記第１側縁とは反対側の側縁を第２側縁としたとき、
前記第２側縁は、前記首支持部の横方向両端部において前記第１側縁から離間する方向に膨らむように形成されている、請求項７に記載の枕。
【請求項９】
平面視において、前記首支持部の前記頭支持部側の側縁を第１側縁とし、前記首支持部の前記第１側縁とは反対側の側縁を第２側縁としたとき、
前記第１側縁は、前記首支持部の横方向中央部から横方向両端部に向かうにつれて前記第２側縁から離間するように湾曲して形成されている、請求項７または８に記載の枕。
【考案の詳細な説明】
【技術分野】
【０００１】
本考案は、使用者が就寝する際に使用者の頭および首を支持する枕に関する。
【背景技術】
【０００２】
従来から、使用者の頭を支持する頭支持部と、使用者の首を支持する首支持部とを備える枕がある。下記特許文献１に記載された従来の枕は、１つの袋体の内部空間を２つの空間に仕切り、一方の空間に硬質の詰め物を充填して頭支持部を構成し、他方の空間に硬質の詰め物を充填して首支持部を構成したものである。この枕では、２つの空間のそれぞれに充填される詰め物の量を調整することによって、頭支持部の高さが首支持部の高さよりも低くされている。２つの空間は相互に連通されており、頭支持部および首支持部のそれぞれの高さを調整する際には、２つの空間の間で詰め物が移動される。
【先行技術文献】
【特許文献】
【０００３】
【特許文献１】実開平７−３９６３７号公報
【０００４】
特許文献１に記載された枕では、頭支持部と首支持部とがほぼ同じ硬さで構成されていた。そのため、これらを硬めに構成した場合には、頭支持部から頭に作用する圧力を分散させることが困難になり、これらを柔らかめに構成した場合には、首支持部で首を安定的に支持することが困難になり、いずれの場合も快適な使用感を得られないという問題があった。
【考案の概要】
【０００５】
本考案は上記問題に対処するためになされたものであり、頭に作用する圧力を分散させながら首を安定的に支持することができる枕を提供することを目的とする。
【０００６】
上記目的を達成するため、本考案の特徴は、使用者の頭を支持する頭支持部と、使用者の首を支持する首支持部とを備える枕において、前記頭支持部は、第１袋体と、前記第１袋体に充填された第１充填材とを有しており、前記首支持部は、第２袋体と、前記第２袋体に充填された第２充填材とを有しており、前記首支持部の硬さは、前記頭支持部の硬さよりも硬くされており、前記頭支持部が使用者の頭を支持した状態では、前記頭支持部の高さが前記首支持部の高さよりも低くなることにある。
【０００７】
この構成では、頭支持部よりも硬く構成された首支持部によって首を安定的に支持することができる。また、首支持部よりも柔らかく構成された頭支持部によって頭に作用する圧力を分散させることができる。これらの作用が相まって、快適な使用感を得ることができる。
【０００８】
なお、この構成では、頭支持部が使用者の頭を支持した状態では、頭支持部の高さが首支持部の高さよりも低くなるが、頭を支持していない状態では、頭支持部の高さが首支持部の高さよりも高くなっていてもよい。
【０００９】
本考案の他の特徴は、前記第１袋体は、互いに連通された複数の空間を有しており、前記複数の空間の相互間で前記第１充填材を移動させることによって、前記複数の空間のそれぞれに対応する前記頭支持部の各部分の高さが調整されることにある。
【００１０】
この構成では、複数の空間のそれぞれに対応する頭支持部の各部分の高さを、使用者の好みに応じて調整できる。
【００１１】
本考案の他の特徴は、前記第２袋体は、前記首支持部の外表面を構成する第１層と、前記第１層の内側に設けられた第２層とを有しており、前記第１層は、通気性および吸湿性を有する布で構成されており、前記第２層は、棉で構成されていることにある。
【００１２】
この構成では、第１層が通気性および吸湿性を有する布で構成されているので、使用者の首の蒸れを抑制できる。また、棉で構成された第２層によって、使用者に対して柔らかな肌触りを与えることができる。
【００１３】
本考案の他の特徴は、前記第２袋体は、前記第２層の内側に設けられた第３層を有しており、前記第１層と前記第３層とが前記第２層を厚さ方向に貫通する糸を介して接合されていることにある。
【００１４】
この構成では、首支持部の表面を構成する第１層を、第２層と第３層とで補強することができる。また、第１層と第３層との間において、第２層を糸で固定することができる。
【００１５】
本考案の他の特徴は、前記第２層は、棉を板状に圧縮することによって形成された棉板で構成されていることにある。
【００１６】
この構成では、第２層における棉の偏りや分断が生じ難く、棉切れを効果的に抑制できる。また、首支持部の表面における高さのムラを抑えて、使用者に対して快適な使用感を与えることができる。
【００１７】
本考案の他の特徴は、前記第１層を構成する前記布には、複数の通気孔が設けられていることにある。
【００１８】
この構成では、複数の通気孔から熱や湿気を逃がすことができるので、使用者の首の蒸れを効果的に解消できる。
【００１９】
本考案の他の特徴は、平面視において、使用者の体軸方向を縦方向とし、縦方向に対して直交する方向を横方向としたとき、前記頭支持部と前記首支持部とは、縦方向に並んで配置されており、前記首支持部は、その横方向両端部の縦方向長さがその横方向中央部の縦方向長さよりも長くなるように構成されていることにある。
【００２０】
この構成では、首支持部の横方向両端部の縦方向長さが、首支持部の横方向中央部の縦方向長さよりも長くなっているので、使用者が顔を横に向けたときには、首支持部の横方向両端部のいずれか一方で顔の側面を受けることができる。したがって、使用者が顔を横に向けたときでも、首の高さが大きく変わることがなく、使用者に対して快適な使用感を与えることができる。
【００２１】
本考案の他の特徴は、平面視において、前記首支持部の前記頭支持部側の側縁を第１側縁とし、前記首支持部の前記第１側縁とは反対側の側縁を第２側縁としたとき、前記第２側縁は、前記首支持部の横方向両端部において前記第１側縁から離間する方向に膨らむように形成されていることにある。
【００２２】
この構成では、使用者が顔を横に向けたときに、首支持部の横方向両端部のいずれか一方で顔の側面の顎に近い部分を受けることができる。
【００２３】
本考案の他の特徴は、平面視において、前記首支持部の前記頭支持部側の側縁を第１側縁とし、前記首支持部の前記第１側縁とは反対側の側縁を第２側縁としたとき、前記第１側縁は、前記首支持部の横方向中央部から横方向両端部に向かうにつれて前記第２側縁から離間するように湾曲して形成されていることにある。
【００２４】
この構成では、使用者が顔を横に向けたときに、首支持部の横方向両端部のいずれか一方で顔の側面の耳に近い部分を受けることができる。また、第１側縁は、首支持部の横方向中央部から横方向両端部に向かうにつれて第２側縁から離間するように湾曲して形成されているので、首支持部と頭支持部との境界部は滑らかな曲線となり、この境界部が首に当たったときでも使用者に対して違和感を与え難い。
【図面の簡単な説明】
【００２５】
【図１】本考案の一実施形態に係る枕の構成を示す斜視図である。
【図２】本考案の一実施形態に係る枕の構成を示す平面図（Ａ）および正面図（Ｂ）である。
【図３】図１に示した枕の使用状態を示す断面図である。
【図４】首支持部における第２袋体の構成を示す部分断面図である。
【考案を実施するための形態】
【００２６】
以下、本考案に係る枕の実施形態について図面を参照しながら説明する。
【００２７】
（枕１０の構成）
図１は、本考案の一実施形態に係る枕１０の構成を示す斜視図である。図２は、枕１０の構成を示す平面図（Ａ）および正面図（Ｂ）である。図３は、枕１０の使用状態を示す断面図である。図３に示すように、枕１０は、使用者Ｕが就寝する際に、頭Ｈおよび首Ｎを支持する寝具であり、布団の上面などの平坦面Ｐに載置される。なお、本明細書において参照する各図は、本考案の理解を容易にするために一部の構成要素を誇張して表わすなど模式的に表している。このため、各構成要素間の比率などは、実際とは異なっていることがある。本明細書で用いる「前」、「後」、「左」、「右」の各方向は、図１中に矢印で示した各方向と一致する。
【００２８】
図３に示すように、枕１０は、使用者Ｕの頭Ｈを支持する頭支持部１２と、使用者Ｕの首Ｎを支持する首支持部１４とを備えている。図２（Ａ）に示すように、平面視において、使用者Ｕの体軸Ｇが延びる方向（以下、「体軸方向」という。）を「縦方向」とし、縦方向（体軸方向）に対して直交する方向を「横方向」としたとき、頭支持部１２と首支持部１４とは、縦方向に並んで配置されている。
【００２９】
図３に示すように、頭支持部１２は、内部空間１６を構成する第１袋体１８と、第１袋体１８の内部空間１６に充填された第１充填材２０とを有している。図２（Ａ）に示すように、第１袋体１８は、通気性、吸湿性および伸縮性を有する布によって、平面視で横方向に長い長方形に形成されている。本実施形態では、第１袋体１８の材料として、ナイロンとポリウレタンとで形成された化学繊維からなる布が用いられている。なお、第１袋体１８の材料は、本実施形態に限定されるものではなく、例えば、綿や絹などの天然繊維からなる布が用いられてもよい。
【００３０】
図１に示すように、第１袋体１８の中央部には、第１仕切り部２２が横方向に直線状に延びて設けられている。これにより、内部空間１６の横方向中央部には、第１空間２４と第２空間２６とが前後に並んで構成されている。また、第１袋体１８の左側部には、第２仕切り部２８が左方に膨らむように湾曲して縦方向に延びて設けられており、第１袋体１８の右側部には、第３仕切り部３０が右方に膨らむように湾曲して縦方向に延びて設けられている。これにより、内部空間１６の左側部には、第１空間２４および第２空間２６から隔離された第３空間３２が構成されており、内部空間１６の右側部には、第１空間２４および第２空間２６から隔離された第４空間３４が構成されている。なお、本実施形態では、第１袋体１８に４つの空間が設けられているが、空間の数は複数であればよく、２つまたは３つであってもよいし、５つ以上であってもよい。
【００３１】
図１に示すように、第１袋体１８の後側壁１８ｂには、内部空間１６に第１充填材２０（図３）を投入するための投入口３６が、第２空間２６に連通して設けられている。この投入口３６は、第１袋体１８と同じ材料によって筒状に形成されている。第１充填材２０を投入する際には、投入口３６は内部空間１６から外部に引き出される。一方、枕１０を使用する際には、投入口３６は内部空間１６に収容される。
【００３２】
図１に示すように、平面視において、第１仕切り部２２の両端部は、第２仕切り部２８および第３仕切り部３０のそれぞれから離間して配置されており、第２仕切り部２８および第３仕切り部３０のそれぞれの両端部は、第１袋体１８の前側壁１８ａおよび後側壁１８ｂから離間して配置されている。これにより、第１空間２４、第２空間２６、第３空間３２および第４空間３４のそれぞれは、互いに連通されており、投入口３６から内部空間１６に投入した第１充填材２０（図３）を、これらの空間２４，２６，３２，３４の相互間で移動させることができる。
【００３３】
図１に示すように、第１仕切り部２２、第２仕切り部２８および第３仕切り部３０のそれぞれが設けられた部分においては、第１袋体１８の表面１８ｃと裏面（図示省略）との距離が他の部分に比べて短くされている。これにより、第１袋体１８の表面１８ｃにおける中央部、左側部および右側部には、第１凹部３８、第２凹部４０および第３凹部４２が設けられている。なお、第１袋体１８の裏面は、表面１８ｃと対称に形成されているので、裏面（図示省略）についての説明は省略する。
【００３４】
図３に示す第１充填材２０は、使用者Ｕの頭Ｈを支持するとともに、頭Ｈに作用する圧力を分散させるものであり、粒体群２０ａと球体群２０ｂとで構成されている。粒体群２０ａは、直径が５ｍｍ以下の不規則な立体形状からなるウレタン樹脂製の複数の粒体で構成されている。一方、球体群２０ｂは、直径が０.５〜２.０ｍｍの範囲で複数種類の大きさに形成された発泡ポリスチレン樹脂製の複数の球体で構成されている。粒体群２０ａと球体群２０ｂとの混合割合は、枕１０の仕様（例えば、高さ、硬さ、通気性および保温性など）に応じて適宜調製されている。
【００３５】
図３に示すように、首支持部１４は、内部空間４６を構成する第２袋体４８と、第２袋体４８の内部空間４６に充填された第２充填材５０とを有している。図２（Ａ）に示すように、首支持部１４は、横方向両端部１４ａ，１４ｂの縦方向長さＬ１が横方向中央部１４ｃの縦方向長さＬ２よりも長くなるように構成されている。
【００３６】
図２（Ａ）に示すように、平面視において、首支持部１４の頭支持部１２側の側縁を第１側縁５４とし、首支持部１４の第１側縁５４とは反対側の側縁を第２側縁５６としたとき、第２側縁５６は、首支持部１４の横方向両端部１４ａ，１４ｂにおいて第１側縁５４から離間する方向に膨らむように形成されている。一方、第１側縁５４は、首支持部１４の横方向中央部１４ｃから横方向両端部１４ａ，１４ｂに向かうにつれて第２側縁５６から離間するように湾曲して形成されている。さらに、第１側縁５４は、首支持部１４の横方向両端縁１４ｄ，１４ｅの近傍において、第２側縁５６に近づくように湾曲して形成されている。したがって、横方向両端縁１４ｄ，１４ｅにおける首支持部１４の縦方向長さＬ３は、縦方向長さＬ２よりも長く、かつ、縦方向長さＬ１よりも短くなっている。
【００３７】
図４は、首支持部１４における第２袋体４８の構成を示す部分断面図である。図４に示すように、第２袋体４８は、首支持部１４の外表面を構成する第１層６０と、中間層となる第２層６２と、最内層となる第３層６４とを有する３層構造に構成されている。
【００３８】
第１層６０および第３層６４は、通気性、吸湿性および伸縮性を有する布で構成されており、第１層６０を構成する布には、複数の通気孔６０ａが設けられている。つまり、第１層６０および第３層６４を構成する布は、本来的に通気性を有しているが、第１層６０については、通気性をより高めるために複数の通気孔６０ａが設けられている。第１層６０および第３層６４を構成する布の種類は、特に限定されるものではないが、本実施形態では、ジャガード織りで織られた綿（１００％）の布が用いられている。
【００３９】
第２層６２は、クッション性を有する棉で構成されている。本実施形態の第２層６２は、棉を板状に圧縮することによって形成された棉板で構成されており、棉の材料としては、ポリエステル繊維（１００％）が用いられている。なお、第２層６２を構成する棉の材料は、本実施形態に限定されるものではなく、例えば、綿花、絹、麻、羊毛、パンヤなどの天然繊維やポリエステル繊維以外の化学繊維を単体で用いてもよいし、これらを適宜組み合わせて用いてもよい。
【００４０】
図４に示すように、第１層６０、第２層６２および第３層６４を重ね合わせた状態において、第１層６０と第３層６４とは、第２層６２を厚さ方向に貫通する糸６６を介して接合されている。これにより３層構造の布６８が構成されている。
【００４１】
図３に示す第２充填材５０は、使用者Ｕの首Ｎを支持するものであり、粒体群５０ａと球体群５０ｂとで構成されている。粒体群５０ａは、直径が５ｍｍ以下の不規則な立体形状からなるウレタン樹脂製の複数の粒体で構成されている。一方、球体群５０ｂは、直径が０.５〜２.０ｍｍの範囲で複数種類の大きさに形成された発泡ポリスチレン樹脂製の複数の球体で構成されている。粒体群５０ａと球体群５０ｂとの混合割合は、枕１０の仕様（例えば、高さ、硬さ、通気性および保温性など）に応じて調製されている。
【００４２】
（枕１０の製造方法）
図１に示す枕１０を製造する際には、頭支持部１２を構成する第１袋体１８と、首支持部１４を構成する第２袋体４８とを縫合などによって接合し、第１袋体１８の内部空間１６に第１充填材２０（図３）を充填するとともに、第２袋体４８の内部空間４６に第２充填材５０（図３）を充填する。
【００４３】
このとき、第２充填材５０の充填密度を第１充填材２０の充填密度よりも高くして、首支持部１４の硬さを頭支持部１２の硬さよりも硬くする。首支持部１４の硬さは、図３に示す使用者Ｕの首Ｎを安定的に支持することができるように、使用者Ｕの体格などを考慮して決定する。また、頭支持部１２においては、クッション性を高めるなどのために、第１空間２４および第２空間２６に対する第１充填材２０の充填量を第３空間３２および第４空間３４に対する第１充填材２０の充填量よりも多くして、頭支持部１２の中央部の高さをその周辺部の高さよりも高くする（図２（Ｂ））。なお、首支持部１４の硬さを頭支持部１２の硬さよりも硬くする方法としては、第２充填材５０を第１充填材２０よりも硬くする方法が用いられてもよい。
【００４４】
（枕１０の使用方法）
図３に示すように、枕１０を使用する際には、枕１０を布団の上面などの平坦面Ｐに載置し、首Ｎを首支持部１４に載置しながら、頭Ｈを頭支持部１２の中央部に載置する。すると、頭支持部１２の中央部が頭Ｈの重量で圧縮され、頭支持部１２の高さが首支持部１４の高さよりも低くなる。つまり、頭支持部１２が頭Ｈを支持した状態では、頭支持部１２の高さは首支持部１４の高さよりも低くなる。第１袋体１８の内部空間１６に第１充填材２０を充填する上記の工程では、この状態が起こるように、第１充填材２０の充填量が決定される。
【００４５】
（枕１０の効果）
本実施形態によれば、上記構成により以下の各効果を奏することができる。すなわち、頭支持部１２よりも硬く構成された首支持部１４によって使用者Ｕの首Ｎを安定的に支持することができるとともに、首支持部１４よりも軟らかく構成された頭支持部１２によって使用者Ｕの頭Ｈに作用する圧力を分散させることができる。これらの作用により、使用者Ｕは快適な使用感を得ることができる。
【００４６】
図３に示すように、頭支持部１２が使用者Ｕの頭Ｈを支持した状態では、頭支持部１２の高さが首支持部１４の高さよりも低くなるので、首Ｎを自然な状態で安定的に支持することができる。
【００４７】
図１に示すように、第１袋体１８においては、互いに連通された第１空間２４、第２空間２６、第３空間３２および第４空間３４の相互間で第１充填材２０を移動させることができるので、各空間２４，２６，３２，３４における第１充填材２０の量を調整することによって、各空間２４，２６，３２，３４に対応する頭支持部１２の各部分の高さを調整することができる。
【００４８】
図１に示すように、頭支持部１２における第１空間２４および第２空間２６に対応する部分、すなわち頭Ｈ（図３）を支持する部分は、平面視で楕円形に形成されているので、この部分に第１凹部３８が設けられていることと相まって、頭Ｈを安定的に支持することができる。
【００４９】
図４に示す第２袋体４８の第１層６０は、通気性、吸湿性および伸縮性を有する布で構成されており、この布には、複数の通気孔６０ａが設けられているので、使用者Ｕの首Ｎの蒸れを抑制できる。また、第２層６２は、棉で構成されているので、使用者Ｕに対して柔らかな肌触りを与えることができる。これらの作用により、使用者Ｕは快適な使用感を得ることができる。
【００５０】
図４に示すように、第２袋体４８の第１層６０と第３層６４とが第２層６２を厚さ方向に貫通する糸６６を介して接合されているので、首支持部１４の表面を構成する第１層６０を第２層６２と第３層６４とで補強することができる。また、第２層６２を構成する棉の偏りや分断を糸６６によって防止できる。
【００５１】
図４に示す第２層６２は、棉を板状に圧縮することによって形成された棉板で構成されているので、棉の偏りや分断が生じ難く、棉切れを効果的に抑制できる。また、首支持部１４の表面における高さのムラを抑えて、使用者Ｕ（図３）に対して快適な使用感を与えることができる。
【００５２】
図２（Ａ）に示すように、首支持部１４は、横方向両端部１４ａ，１４ｂの縦方向長さＬ１が横方向中央部１４ｃの縦方向長さＬ２よりも長くなるように構成されているので、使用者Ｕが顔Ｆを横に向けたときには、首支持部１４の横方向両端部１４ａ，１４ｂのいずれか一方で顔Ｆの側面を受けることができる。したがって、使用者Ｕが顔Ｆを横に向けたときでも、首Ｎ（図３）の高さが大きく変わることがなく、使用者Ｕに対して快適な使用感を与えることができる。
【００５３】
図２（Ａ）に示すように、首支持部１４の第２側縁５６は、首支持部１４の横方向両端部１４ａ，１４ｂにおいて第１側縁５４から離間する方向に膨らむように形成されているので、使用者Ｕが顔Ｆを横に向けたときには、横方向両端部１４ａ，１４ｂのいずれか一方で顔Ｆの側面の顎Ｊに近い部分を受けることができる。
【００５４】
図２（Ａ）に示すように、首支持部１４の第１側縁５４は、首支持部１４の横方向中央部１４ｃから横方向両端部１４ａ，１４ｂに向かうにつれて第２側縁５６から離間するように形成されているので、使用者Ｕが顔Ｆを横に向けたときには、横方向両端部１４ａ，１４ｂのいずれか一方で顔Ｆの側面の耳Ｅに近い部分を受けることができる。また、第１側縁５４は、湾曲して形成されているので、首支持部１４と頭支持部１２との境界部７０は滑らかな曲線となり、境界部７０が首Ｎ（図３）に当たったときでも使用者Ｕに対して違和感を与え難い。
【００５５】
（枕１０の変形例）
なお、本考案の実施にあたっては、上記実施形態に限定されず、本考案の目的を逸脱しない限りにおいて種々の変更が可能である。例えば、図４に示すように、上記実施形態では、第１層６０、第２層６２および第３層６４が糸６６で接合されているが、これらは、接着または溶着などの他の方法で接合されてもよい。また、この場合、第３層６４は省略されてもよい。
【００５６】
図４に示すように、上記実施形態では、第１層６０および第３層６４のうち第１層６０だけに複数の通気孔６０ａが設けられているが、第１層６０および第３層６４の両方に複数の通気孔が設けられてもよい。また、第１層６０および第３層６４を構成する布が高い通気性を有する場合には、複数の通気孔は省略されてもよい。
【００５７】
図３に示すように、上記実施形態では、第１充填材２０が粒体群２０ａと球体群２０ｂとで構成されており、第２充填材５０が粒体群５０ａと球体群５０ｂとで構成されているが、第１充填材２０および第２充填材５０の構成は適宜変更されてもよい。例えば、粒体群２０ａおよび球体群２０ｂの少なくとも一方に代えて、或いは、粒体群５０ａおよび球体群５０ｂの少なくとも一方に代えて、そば殻、パンヤ、合成樹脂製ビーズ（ポリエステル樹脂、ポリエチレン樹脂、ウレタン樹脂など）、筒状ビーズ（シンセテンホールビーズ、ドングリビーズなど）、木片チップなどが単種で用いられてもよいし、これらのうち複数種の組み合わせが用いられてもよい。さらに、これらの単種または複数種の組み合わせに対して、棉、羽毛および羊毛の少なくとも１つが混合されてもよい。
【符号の説明】
【００５８】
Ｕ…使用者、Ｈ…頭、Ｎ…首、１０…枕、１２…頭支持部、１４…首支持部、
１８…第１袋体、２０…第１充填材、４８…第２袋体、５０…第２充填材
【図１】
0003206814.tif 000003
【図２】
0003206814.tif 000004
【図３】
0003206814.tif 000005
【図４】
0003206814.tif 000006